(57)【特許請求の範囲】
【請求項１】
カードから読み取られたデータの信号および／または前記カードに記録されるデータの信号を伝えるためのデータ信号パターンと、自身が断線したことおよび／または短絡したことを検知するための破壊検知パターンとを備えるカードリーダであって、
前記破壊検知パターンが形成されるとともに前記カードリーダに挿入された前記カードの厚さ方向において所定の間隔をあけた状態で前記カードリーダの前面側に配置される板状またはフィルム状の２枚の第１プリント基板と、前記破壊検知パターンが形成されるとともに前記カードリーダの後面側に配置される板状またはフィルム状の第２プリント基板と、前記破壊検知パターンが形成されるとともに前記カードの厚さ方向の一方側に配置される板状またはフィルム状の第３プリント基板と、前記破壊検知パターンが形成されるとともに前記カードの厚さ方向の他方側に配置される板状またはフィルム状の第４プリント基板と、前記破壊検知パターンが形成されるとともに前記カードリーダの前後方向と前記カードの厚さ方向とに直交する前記カードの幅方向の一方側に配置される板状またはフィルム状の第５プリント基板と、前記破壊検知パターンが形成されるとともに前記カードの幅方向の他方側に配置される板状またはフィルム状の第６プリント基板とを備え、
前記データ信号パターンは、全方向から前記破壊検知パターンによって囲まれた領域である保護領域の中に配置され、
２枚の前記第１プリント基板に形成される前記破壊検知パターンと、前記第２プリント基板に形成される前記破壊検知パターンと、前記第３プリント基板に形成される前記破壊検知パターンと、前記第４プリント基板に形成される前記破壊検知パターンと、前記第５プリント基板に形成される前記破壊検知パターンと、前記第６プリント基板に形成される前記破壊検知パターンとによって囲まれた領域が前記保護領域となっており、
前記カードの厚さ方向における２枚の前記第１プリント基板の間を前記カードが通過することを特徴とするカードリーダ。
【請求項２】
前記第１プリント基板および前記第３プリント基板は、板状に形成されるリジッド基板であり、
前記第２プリント基板、前記第４プリント基板、前記第５プリント基板および前記第６プリント基板は、フィルム状に形成されるフレキシブル基板であり、
前記第２プリント基板、前記第４プリント基板、前記第５プリント基板および前記第６プリント基板は、一体で形成され、前記カードリーダの筺体の一部を構成するケース体の内側面に貼り付けられていることを特徴する請求項１記載のカードリーダ。
【請求項３】
前記第１プリント基板には、前記カードリーダが上位装置に取り付けられていることを検知するための取付検知機構が取り付けられ、
前記取付検知機構は、棒状に形成されるスイッチ部材と、前記第１プリント基板に実装されるとともに前記スイッチ部材に所定の力で押される押圧状態と前記押圧状態が解除される非押圧状態とに切替可能な被押圧部材とを備え、
前記上位装置に前記カードリーダが取り付けられると、前記スイッチ部材が前記被押圧部材側に移動して前記被押圧部材が前記非押圧状態から前記押圧状態に切り替わり、
前記上位装置から前記カードリーダが取り外されると、前記スイッチ部材が前記被押圧部材から離れる方向へ移動して前記被押圧部材が前記押圧状態から前記非押圧状態に切り替わることを特徴とする請求項１または２記載のカードリーダ。
【請求項４】
前記スイッチ部材は、自身が断線したことおよび／または短絡したことを検知するための破壊検知パターンが形成される板状またはフィルム状のプリント基板に囲まれていることを特徴とする請求項３記載のカードリーダ。
【請求項５】
上位装置に取り付けられて使用されるカードリーダにおいて、
前記カードリーダが前記上位装置に取り付けられていることを検知するための取付検知機構を備え、
前記取付検知機構は、棒状に形成されるスイッチ部材と、前記スイッチ部材に所定の力で押される押圧状態と前記押圧状態が解除される非押圧状態とに切替可能な被押圧部材とを備え、
前記上位装置に前記カードリーダが取り付けられると、前記スイッチ部材が前記被押圧部材側に移動して前記被押圧部材が前記非押圧状態から前記押圧状態に切り替わり、
前記上位装置から前記カードリーダが取り外されると、前記スイッチ部材が前記被押圧部材から離れる方向へ移動して前記被押圧部材が前記押圧状態から前記非押圧状態に切り替わり、
前記スイッチ部材は、自身が断線したことおよび／または短絡したことを検知するための破壊検知パターンが形成される板状またはフィルム状のプリント基板に囲まれていることを特徴とするカードリーダ。
【請求項６】
前記上位装置の前面を構成する前面パネルの後面に当接する当接面を有する当接部材を備え、
前記当接部材には、前記スイッチ部材の先端側部分が挿通される挿通孔が前記当接部材を貫通するように形成され、
前記スイッチ部材の先端側部分は、前記カードリーダが前記上位装置に取り付けられていないときに前記当接面よりも前記カードリーダの前面側へ突出しており、
前記スイッチ部材の、前記当接部材よりも後ろ側の部分が前記プリント基板に囲まれていることを特徴とする請求項５記載のカードリーダ。
【請求項７】
前記スイッチ部材は、前記カードリーダに挿入されるカードが通過するカード通過路よりも前記カードの厚さ方向の一方側に配置され、
前記カードリーダの前後方向と前記カードの厚さ方向とに直交する方向を前記カードの幅方向とすると、
前記プリント基板は、前記カードの幅方向の両側、前記カードの厚さ方向の一方側、および、前記カードリーダの後面側の４方向から前記スイッチ部材を囲んでいることを特徴とする請求項６記載のカードリーダ。
【請求項８】
前記プリント基板は、前記被押圧部材も囲んでいることを特徴とする請求項５から７のいずれかに記載のカードリーダ。
【請求項９】
自身が断線したことおよび／または短絡したことを検知するための破壊検知パターンが形成されるとともに前記カードリーダの前面側に配置される板状またはフィルム状の第１プリント基板を備え、
前記取付検知機構は、前記第１プリント基板に取り付けられていることを特徴とする請求項５から８のいずれかに記載のカードリーダ。
【請求項１０】
前記プリント基板は、フィルム状に形成されるフレキシブル基板であることを特徴とする請求項５から９のいずれかに記載のカードリーダ。
【発明の詳細な説明】
【技術分野】
【０００１】
本発明は、カードに記録されたデータの読取やカードへのデータの記録を行うカードリーダに関する。
【背景技術】
【０００２】
従来、カードリーダが上位装置から不正に取り外されたことを検知してデータの不正取得を防止するセキュリティ機能を備えたカードリーダが知られている（たとえば、特許文献１および２参照）。特許文献１に記載のカードリーダは、カードリーダの前面に配置されるシートスイッチを備えている。このカードリーダでは、上位装置にカードリーダが取り付けられると、上位装置の前面パネルの裏面側に形成される凸部がシートスイッチを押圧し、上位装置からカードリーダが取り外されるとシートスイッチの押圧状態が解除される。そのため、このカードリーダでは、シートスイッチの状態に基づいて、カードリーダが上位装置から不正に取り外されたことを検知することが可能である。また、このカードリーダでは、カードリーダが上位装置から不正に取り外されたことが検知されると、データの不正取得を阻止するための所定の処理が実行されており、カードリーダからのデータの不正取得を防止することが可能になっている。
【０００３】
特許文献２に記載のカードリーダは、タンパスイッチを備えている。このタンパスイッチは、円柱状に形成されるタンパ部材と、タンパ部材によって押圧される位置に配置されるタンパ用導通部材とを備えている。このカードリーダでは、上位装置にカードリーダが取り付けられると、タンパ部材がタンパ用導通部材側へ移動してタンパ用導通部材を押圧し、タンパ用導通部材が導通状態となる。また、上位装置からカードリーダが取り外されると、タンパ部材がタンパ用導通部材から離れる方向へ移動してタンパ用導通部材が非導通状態となる。そのため、このカードリーダでは、タンパスイッチの状態に基づいて、カードリーダが上位装置から不正に取り外されたことを検知することが可能である。また、このカードリーダでは、カードリーダが上位装置から不正に取り外されたことが検知されると、データの不正取得を阻止するための所定の処理が実行されており、カードリーダからのデータの不正取得を防止することが可能になっている。
【先行技術文献】
【特許文献】
【０００４】
【特許文献１】特開２００９−３７３６４号公報
【特許文献２】特開２０１３−１８６６０２号公報
【発明の概要】
【発明が解決しようとする課題】
【０００５】
特許文献１および２に記載のカードリーダでは、犯罪者がデータを不正取得しようとして上位装置からカードリーダを取り外すと、シートスイッチやタンパスイッチでの検知結果に基づいて所定の処理が実行されるため、カードリーダからのデータの不正取得を防止することが可能である。しかしながら、特許文献１および２に記載のカードリーダでは、犯罪者が上位装置からカードリーダを取り外さずにデータを不正取得しようとする場合に、カードリーダからのデータの不正取得を防止することができない。
【０００６】
そこで、本発明の第１の課題は、犯罪者が上位装置からカードリーダを取り外さずにカードリーダからデータを不正取得しようとしても、カードリーダからのデータの不正取得を防止することが可能なカードリーダを提供することにある。
【０００７】
また、特許文献１に記載のカードリーダで使用されるシートスイッチの場合、シートスイッチの、前面パネルの凸部に押されて移動する部分の移動量が少ない。そのため、特許文献１に記載のカードリーダの場合、上位装置にカードリーダが精度良く取り付けられていないと、上位装置にカードリーダが取り付けられたときにシートスイッチが押圧状態にならない場合が生じて、上位装置にカードリーダが取り付けられているのか否かが誤検知されるおそれがある。
【０００８】
これに対して、特許文献２に記載のカードリーダで使用されるタンパスイッチは、円柱状に形成されるタンパ部材とタンパ用導通部材とによって構成されているため、上位装置にカードリーダが取り付けられているときのタンパ部材の位置と上位装置からカードリーダが取り外されているときのタンパ部材の位置との間のタンパ部材の移動量を大きくすることが可能である。したがって、特許文献２に記載のカードリーダの場合、上位装置にカードリーダが精度良く取り付けられていなくても、上位装置にカードリーダが取り付けられたときにタンパ用導通部材を導通状態にすることが可能になり、その結果、上位装置にカードリーダが取り付けられていることを精度良く検知することが可能になる。
【０００９】
しかしながら、特許文献２に記載のカードリーダで使用されるタンパスイッチの場合、タンパ部材が円柱状に形成されているため、上位装置からカードリーダが取り外されたときにタンパ部材が移動しないように、タンパ部材に何らかの細工がしやすくなる。また、上位装置からカードリーダが取り外されたときにタンパ部材が移動しないようにタンパ部材に何らかの細工が行われると、カードリーダからのデータの不正取得を防止することができなくなる。
【００１０】
そこで、本発明の第２の課題は、上位装置にカードリーダが精度良く取り付けられていなくても、上位装置にカードリーダが取り付けられていることを精度良く検知することが可能でありながら、カードリーダからのデータの不正取得を防止することが可能なカードリーダを提供することにある。
【課題を解決するための手段】
【００１１】
上記の第１の課題を解決するため、本発明のカードリーダは、カードから読み取られたデータの信号および／またはカードに記録されるデータの信号を伝えるためのデータ信号パターンと、自身が断線したことおよび／または短絡したことを検知するための破壊検知パターンとを備えるカードリーダであって、破壊検知パターンが形成されるとともにカードリーダに挿入されたカードの厚さ方向において所定の間隔をあけた状態でカードリーダの前面側に配置される板状またはフィルム状の２枚の第１プリント基板と、破壊検知パターンが形成されるとともにカードリーダの後面側に配置される板状またはフィルム状の第２プリント基板と、破壊検知パターンが形成されるとともにカードの厚さ方向の一方側に配置される板状またはフィルム状の第３プリント基板と、破壊検知パターンが形成されるとともにカードの厚さ方向の他方側に配置される板状またはフィルム状の第４プリント基板と、破壊検知パターンが形成されるとともにカードリーダの前後方向とカードの厚さ方向とに直交するカードの幅方向の一方側に配置される板状またはフィルム状の第５プリント基板と、破壊検知パターンが形成されるとともにカードの幅方向の他方側に配置される板状またはフィルム状の第６プリント基板とを備え、データ信号パターンは、全方向から破壊検知パターンによって囲まれた領域である保護領域の中に配置され、２枚の第１プリント基板に形成される破壊検知パターンと、第２プリント基板に形成される破壊検知パターンと、第３プリント基板に形成される破壊検知パターンと、第４プリント基板に形成される破壊検知パターンと、第５プリント基板に形成される破壊検知パターンと、第６プリント基板に形成される破壊検知パターンとによって囲まれた領域が保護領域となっており、カードの厚さ方向における２枚の第１プリント基板の間をカードが通過することを特徴とする。
【００１２】
本発明のカードリーダでは、データ信号パターンは、全方向から破壊検知パターンによって囲まれた領域である保護領域の中に配置されている。そのため、本発明では、上位装置に取り付けられた状態のカードリーダからデータを不正に取得しようとして、犯罪者が何らかの細工をカードリーダに行うと、破壊検知パターンが断線したり短絡したりして、カードリーダに対して何らかの細工が行われていることが検知される。したがって、本発明では、破壊検知パターンでの検知結果に基づいてカードリーダに記憶されたデータを消去する等の所定の処理を実行することで、犯罪者が上位装置からカードリーダを取り外さずにカードリーダからデータを不正取得しようとしても、カードリーダからのデータの不正取得を防止することが可能になる。
【００１３】
また、本発明では、カードリーダは、カードの厚さ方向において所定の間隔をあけた状態で配置される２枚の第１プリント基板を備え、カードの厚さ方向における２枚の第１プリント基板の間をカードが通過する。そのため、１枚の第１プリント基板にカードが通過する通過孔が形成されている場合と比較して、２枚の第１プリント基板のそれぞれの形状を簡素化することが可能になる。
【００１４】
本発明において、第１プリント基板および第３プリント基板は、板状に形成されるリジッド基板であり、第２プリント基板、第４プリント基板、第５プリント基板および第６プリント基板は、フィルム状に形成されるフレキシブル基板であり、第２プリント基板、第４プリント基板、第５プリント基板および第６プリント基板は、一体で形成され、カードリーダの筺体の一部を構成するケース体の内側面に貼り付けられていることが好ましい。
【００１５】
このように構成すると、第２プリント基板、第４プリント基板、第５プリント基板および第６プリント基板が一体で形成されているため、カードリーダを組み立てる際の、第２プリント基板、第４プリント基板、第５プリント基板および第６プリント基板の取扱いが容易になる。また、このように構成すると、第２プリント基板、第４プリント基板、第５プリント基板および第６プリント基板がケース体の内側面に貼り付けられているため、第２プリント基板、第４プリント基板、第５プリント基板および第６プリント基板がフレキシブル基板であっても、カードリーダの後面側、カードの厚さ方向の他方側、および、カードの幅方向の両側から破壊検知パターンによってデータ信号パターンを確実に囲むことが可能になる。
【００１７】
本発明において、第１プリント基板には、カードリーダが上位装置に取り付けられていることを検知するための取付検知機構が取り付けられ、取付検知機構は、棒状に形成されるスイッチ部材と、第１プリント基板に実装されるとともにスイッチ部材に所定の力で押される押圧状態と押圧状態が解除される非押圧状態とに切替可能な被押圧部材とを備え、上位装置にカードリーダが取り付けられると、スイッチ部材が被押圧部材側に移動して被押圧部材が非押圧状態から押圧状態に切り替わり、上位装置からカードリーダが取り外されると、スイッチ部材が被押圧部材から離れる方向へ移動して被押圧部材が押圧状態から非押圧状態に切り替わることが好ましい。
【００１８】
このように構成すると、取付検知機構の検知結果に基づいて、カードリーダが上位装置から不正に取り外されたことを検知することが可能になる。また、このように構成すると、第１プリント基板に加えて、取付検知機構が取り付けられるプリント基板が設けられている場合と比較して、カードリーダの構成を簡素化することが可能になる。さらに、このように構成すると、取付検知機構が、棒状に形成されるスイッチ部材と、押圧状態と非押圧状態とに切替可能な被押圧部材を備えているため、上位装置にカードリーダが取り付けられているときのスイッチ部材の位置と上位装置からカードリーダが取り外されているときのスイッチ部材の位置との間のスイッチ部材の移動量を大きくすることが可能になる。したがって、上位装置にカードリーダが精度良く取り付けられていなくても、上位装置にカードリーダが取り付けられたときに被押圧部材を押圧状態にすることが可能になり、その結果、上位装置にカードリーダが取り付けられていることを精度良く検知することが可能になる。
【００１９】
本発明において、スイッチ部材は、自身が断線したことおよび／または短絡したことを検知するための破壊検知パターンが形成される板状またはフィルム状のプリント基板に囲まれていることが好ましい。このように構成すると、上位装置からカードリーダが取り外されたときにスイッチ部材が移動しないように犯罪者がスイッチ部材に何らかの細工をしようとすると、破壊検知パターンが断線したり短絡したりして、スイッチ部材に対して何らかの細工が行われようとしていることが検知される。したがって、破壊検知パターンでの検知結果に基づいてカードリーダに記憶されたデータを消去する等の所定の処理を実行することで、カードリーダからのデータの不正取得を防止することが可能になる。
【００２０】
また、上記の第２の課題を解決するため、本発明のカードリーダは、上位装置に取り付けられて使用されるカードリーダにおいて、カードリーダが上位装置に取り付けられていることを検知するための取付検知機構を備え、取付検知機構は、棒状に形成されるスイッチ部材と、スイッチ部材に所定の力で押される押圧状態と押圧状態が解除される非押圧状態とに切替可能な被押圧部材とを備え、上位装置にカードリーダが取り付けられると、スイッチ部材が被押圧部材側に移動して被押圧部材が非押圧状態から押圧状態に切り替わり、上位装置からカードリーダが取り外されると、スイッチ部材が被押圧部材から離れる方向へ移動して被押圧部材が押圧状態から非押圧状態に切り替わり、スイッチ部材は、自身が断線したことおよび／または短絡したことを検知するための破壊検知パターンが形成される板状またはフィルム状のプリント基板に囲まれていることを特徴とする。
【００２１】
本発明のカードリーダでは、取付検知機構は、棒状に形成されるスイッチ部材と、押圧状態と非押圧状態とに切替可能な被押圧部材とを備えている。そのため、本発明では、上位装置にカードリーダが取り付けられているときのスイッチ部材の位置と上位装置からカードリーダが取り外されているときのスイッチ部材の位置との間のスイッチ部材の移動量を大きくすることが可能になる。したがって、本発明では、上位装置にカードリーダが精度良く取り付けられていなくても、上位装置にカードリーダが取り付けられたときに被押圧部材を押圧状態にすることが可能になり、その結果、上位装置にカードリーダが取り付けられていることを精度良く検知することが可能になる。
【００２２】
また、本発明では、スイッチ部材は、自身が断線したことおよび／または短絡したことを検知するための破壊検知パターンが形成される板状またはフィルム状のプリント基板に囲まれている。そのため、本発明では、上位装置からカードリーダが取り外されたときにスイッチ部材が移動しないように犯罪者がスイッチ部材に何らかの細工をしようとすると、破壊検知パターンが断線したり短絡したりして、スイッチ部材に対して何らかの細工が行われようとしていることが検知される。したがって、本発明では、破壊検知パターンでの検知結果に基づいてカードリーダに記憶されたデータを消去する等の所定の処理を実行することで、カードリーダからのデータの不正取得を防止することが可能になる。
【００２３】
本発明において、カードリーダは、たとえば、上位装置の前面を構成する前面パネルの後面に当接する当接面を有する当接部材を備え、当接部材には、スイッチ部材の先端側部分が挿通される挿通孔が当接部材を貫通するように形成され、スイッチ部材の先端側部分は、カードリーダが上位装置に取り付けられていないときに当接面よりもカードリーダの前面側へ突出しており、スイッチ部材の、当接部材よりも後ろ側の部分がプリント基板に囲まれている。
【００２４】
本発明において、スイッチ部材は、カードリーダに挿入されるカードが通過するカード通過路よりもカードの厚さ方向の一方側に配置され、カードリーダの前後方向とカードの厚さ方向とに直交する方向をカードの幅方向とすると、プリント基板は、カードの幅方向の両側、カードの厚さ方向の一方側、および、カードリーダの後面側の４方向からスイッチ部材を囲んでいることが好ましい。スイッチ部材がカード通過路よりもカードの厚さ方向の一方側に配置されている場合には、カードの厚さ方向の他方側からスイッチ部材に何らかの細工を行うことは難しいため、このように構成すると、スイッチ部材に何らかの細工が行われるのを防止することを目的としてスイッチ部材がプリント基板によって囲まれる範囲を必要最小限の範囲にすることが可能になる。したがって、カードリーダを小型化することが可能になる。
【００２５】
本発明において、プリント基板は、被押圧部材も囲んでいることが好ましい。このように構成すると、犯罪者が被押圧部材に何らかの細工をしようとする場合にも、破壊検知パターンが断線したり短絡したりする。したがって、破壊検知パターンでの検知結果に基づいてカードリーダに記憶されたデータを消去する等の所定の処理を実行することで、カードリーダからのデータの不正取得を効果的に防止することが可能になる。
【００２６】
本発明において、カードリーダは、自身が断線したことおよび／または短絡したことを検知するための破壊検知パターンが形成されるとともにカードリーダの前面側に配置される板状またはフィルム状の第１プリント基板を備え、取付検知機構は、第１プリント基板に取り付けられていることが好ましい。このように構成すると、上位装置に取り付けられた状態のカードリーダからデータを不正に取得しようとして、犯罪者が何らかの細工を前面側からカードリーダに行ったときに、破壊検知パターンが断線したり短絡したりするため、カードリーダに対して何らかの細工が行われていることを検知することが可能になる。また、このように構成すると、第１プリント基板に加えて、取付検知機構が取り付けられるプリント基板が別途設けられている場合と比較して、カードリーダの構成を簡素化することが可能になる。
【００２７】
本発明において、プリント基板は、フィルム状に形成されるフレキシブル基板であることが好ましい。このように構成すると、スイッチ部材の周囲の状態に合わせてプリント基板を柔軟に配置することが可能になる。したがって、スイッチ部材を囲むプリント基板の配置が比較的容易になる。
【発明の効果】
【００２８】
以上のように、本発明では、犯罪者が上位装置からカードリーダを取り外さずにカードリーダからデータを不正取得しようとしても、カードリーダからのデータの不正取得を防止することが可能になる。
【００２９】
また、本発明では、上位装置にカードリーダが精度良く取り付けられていなくても、上位装置にカードリーダが取り付けられていることを精度良く検知することが可能でありながら、カードリーダからのデータの不正取得を防止することが可能になる。
【図面の簡単な説明】
【００３０】
【図１】本発明の実施の形態にかかるカードリーダの斜視図である。
【図２】図１に示すカードリーダからケース体を取り外した状態の斜視図である。
【図３】図２に示すカードリーダからプリント基板を取り外した状態を別の方向から示す斜視図である。
【図４】図１に示すカードリーダからプリント基板および取付検知機構を抜き出して示す斜視図である。
【図５】図４に示す取付検知機構およびその周辺部分の構成を説明するための斜視図である。
【図６】図４に示す取付検知機構およびその周辺部分の構成を説明するための拡大断面図である。
【発明を実施するための形態】
【００３１】
以下、図面を参照しながら、本発明の実施の形態を説明する。
【００３２】
（カードリーダの全体構成）
図１は、本発明の実施の形態にかかるカードリーダ１の斜視図である。図２は、図１に示すカードリーダ１からケース体１２を取り外した状態の斜視図である。図３は、図２に示すカードリーダ１からプリント基板１６を取り外した状態を別の方向から示す斜視図である。図４は、図１に示すカードリーダ１からプリント基板７、１４〜１６および取付検知機構５を抜き出して示す斜視図である。
【００３３】
本形態のカードリーダ１は、ユーザが手動でカード２を操作して、カード２に記録されたデータの読取やカード２へのデータの記録を行う装置である。具体的には、カードリーダ１は、カードリーダ１へのカード２の挿入とカードリーダ１からのカード２の抜取りとを手動で行ってデータの読取や記録を行ういわゆるディップ式のカードリーダである。このカードリーダ１は、たとえば、無人またはセルフサービス方式のガソリンスタンドの給油装置等の上位装置に取り付けられて使用される。また、カードリーダ１は、カードリーダ本体３と、カードリーダ本体３が収容される筺体４と、カードリーダ１が上位装置に取り付けられていることを検知するための取付検知機構５とを備えている。
【００３４】
カードリーダ本体３は、カード２に記録された磁気データの読取やカード２への磁気データの記録を行う磁気ヘッド（図示省略）と、カード２に内蔵されるＩＣチップとデータの通信を行うための複数のＩＣ接点を有するＩＣ接点ブロック（図示省略）とを備えている。カードリーダ本体３には、磁気ヘッドから引き出されるリード線（図示省略）が接続されるプリント基板７と、ＩＣ接点ブロックから引き出されるケーブルが接続されるプリント基板８とが取り付けられている。
【００３５】
筺体４は、カード２の挿入口１０が形成される前面カバー１１と、ケース体１２とから構成されている。また、カードリーダ本体３は、前面カバー１１に固定されるとともにケース体１２に収容される本体フレーム１３を備えている。本体フレーム１３には、２枚のプリント基板１４、１５が取り付けられている。また、ケース体１２を構成する後述の第２ケース体２２の内側面には、プリント基板１６が貼り付けられている。
【００３６】
本形態では、手動で操作されるカード２は、図１等に示すＸ方向に移動する。具体的には、Ｘ１方向にカード２が挿入され、Ｘ２方向にカード２が抜き取られる。すなわち、Ｘ１方向側は、カードリーダ１の後面側であり、Ｘ２方向側は、カードリーダ１の前面側である。また、Ｘ方向に直交する図１等のＹ方向は、カードリーダ１内に挿入されたカード２の厚さ方向であり、Ｘ方向とＹ方向とに直交する図１等のＺ方向は、カードリーダ１内に挿入されたカード２の幅方向（短手幅方向）である。以下の説明では、Ｘ方向を前後方向、Ｙ方向を左右方向、Ｚ方向を上下方向とする。また、Ｘ１方向側を「後（後ろ）」側、Ｘ２方向側を「前」側、Ｙ１方向側を「右」側、Ｙ２方向側を「左」側と、Ｚ１方向側を「上」側、Ｚ２方向側を「下」側とする。
【００３７】
カード２は、たとえば、厚さが０．７〜０．８ｍｍ程度の矩形状の塩化ビニール製のカードである。カード２の一方の面には、磁気データが記録される磁気ストライプが形成されている。また、カード２には、ＩＣチップが内蔵されている。カード２の他方の面には、ＩＣチップの外部接続端子が形成されている。なお、カード２は、厚さが０．１８〜０．３６ｍｍ程度のＰＥＴ（ポリエチレンテレフタレート）カードや、所定の厚さの紙カード等であっても良い。
【００３８】
本体フレーム１３は、挿入口１０から挿入されたカード２の後端側が収容される袋状のカード収容部１７と、カード収容部１７の前端から鍔状に広がる隔壁部１８と、隔壁部１８から前側へ突出するように形成されるとともに磁気ヘッドが配置されるヘッド配置部１９と、隔壁部１８から前側へ突出するように形成されるとともに挿入口１０から挿入されたカード２を案内するカード案内部２０とを備えている。
【００３９】
カード収容部１７には、ＩＣ接点ブロックが取り付けられている。カード収容部１７の右側面には、板状に形成されるプリント基板７が固定され、カード収容部１７の左側面には、板状に形成されるプリント基板８が固定されている。隔壁部１８の前面側には、シール部材（図示省略）が配置されている。このシール部材は、ゴム等によって形成されるとともに、環状に形成されている。ヘッド配置部１９とカード案内部２０とは、上下方向に所定の間隔をあけた状態で形成されている。
【００４０】
前面カバー１１は、樹脂材料で形成されている。この前面カバー１１は、本体フレーム１３の、隔壁部１８よりも前側の部分を覆っている。前面カバー１１の後面側には、鍔状に形成される鍔部１１ａが形成されている。鍔部１１ａは、上下方向および左右方向に広がるように形成されるとともに、上下方向に長い略長方形の枠状に形成されている。ケース体１２は、その前端が開口する略直方体の箱状に形成されている。このケース体１２は、その前端が鍔部１１ａの後面に当接した状態で前面カバー１１に固定されている。ケース体１２の内部には、本体フレーム１３の、隔壁部１８よりも後ろ側の部分が配置されており、本体フレーム１３の、隔壁部１８よりも後ろ側の部分を覆っている。
【００４１】
また、ケース体１２は、左右方向に二分割される第１ケース体２１と第２ケース体２２とから構成されている。第１ケース体２１は、ケース体１２の右側部分を構成し、第２ケース体２２は、ケース体１２の左側部分を構成している。また、第１ケース体２１は、ケース体１２の右側面を構成する右側面部と、ケース体１２の上下の側面の一部分を構成する上下側面部と、ケース体１２の後面の一部分を構成する後側面部とから構成され、第２ケース体２２は、ケース体１２の左側面を構成する左側面部と、ケース体１２の上下の側面の大半部分を構成する上下側面部と、ケース体１２の後面の大半部分を構成する後側面部とから構成されている。
【００４２】
左右方向における第１ケース体２１の幅は、左右方向における第２ケース体２２の幅よりも狭くなっている。また、第２ケース体２２の右端面は、プリント基板７よりも右側に配置されている。あるいは、第２ケース体２２の右端面は、左右方向においてプリント基板７と同じ位置に配置されている。すなわち、第１ケース体２１は、カードリーダ本体３の一部（具体的には、カードリーダ本体３の隔壁部１８よりも後ろ側の部分）とプリント基板７とを右側から覆っている。また、第２ケース体２２は、カードリーダ本体３の一部（具体的には、カードリーダ本体３の隔壁部１８よりも後ろ側の部分）とプリント基板８とを左側、後ろ側および上下の両側から覆っている。また、第２ケース体２２は、プリント基板７を後ろ側および上下の両側から覆っている。
【００４３】
プリント基板７は、略長方形の平板状に形成されたリジッド基板である。このプリント基板７は、その厚さ方向と左右方向とが一致するように、カードリーダ本体３に固定されている。また、プリント基板７は、磁気ヘッドによってカード２から読み取った磁気データの信号や磁気ヘッドによってカード２に記録する磁気データの信号を伝えるためのデータ信号パターンが形成されるデータ信号パターン層と、自身が断線したことおよび短絡したことを検知するための破壊検知パターンが形成される破壊検知パターン層とを備えている。プリント基板７では、データ信号パターン層は、破壊検知パターン層よりも左側に配置されている。
【００４４】
プリント基板８は、略長方形の平板状に形成されたリジッド基板である。このプリント基板８は、その厚さ方向と左右方向とが一致するように、カードリーダ本体３に固定されている。プリント基板８の大きさは、プリント基板７の大きさよりも小さくなっており、左右方向から見たときに、プリント基板８の外周端は、プリント基板７の外周端よりも内側にある。プリント基板８は、ＩＣ接点によってカード２のＩＣチップから読み取ったデータの信号やＩＣ接点によってカード２のＩＣチップに記録するデータの信号を伝えるためのデータ信号パターンが形成されるデータ信号パターン層を備えている。なお、プリント基板８は、自身が断線したことおよび短絡したことを検知するための破壊検知パターンが形成される破壊検知パターン層を備えていない。
【００４５】
プリント基板１４、１５は、上下方向に細長い略長方形の平板状に形成されたリジッド基板である。このプリント基板１４、１５は、その厚さ方向と前後方向とが一致するように、隔壁部１８の後面に固定されている。また、プリント基板１４、１５は、プリント基板７、８よりも前側に配置されている。プリント基板１４とプリント基板１５とは、左右方向に所定の間隔をあけた状態で配置されており、左右方向におけるプリント基板１４とプリント基板１５との間をカード２が通過する。本形態では、プリント基板１４が右側に配置され、プリント基板１５が左側に配置されている。プリント基板１４の右端面は、プリント基板７よりも右側に配置され、プリント基板１４の左端面は、プリント基板７よりも左側に配置されている。プリント基板１５の右端面は、プリント基板８よりも右側に配置され、プリント基板１５の左端面は、プリント基板８よりも左側に配置されている。
【００４６】
プリント基板１４、１５は、自身が断線したことおよび短絡したことを検知するための破壊検知パターンが形成される破壊検知パターン層を備えている。また、プリント基板１４の右端側には、取付検知機構５が取り付けられる取付部１４ａが右側に突出するように形成され、プリント基板１５の左端側には、取付検知機構５が取り付けられる取付部１５ａが左側へ突出するように形成されている。取付部１４ａ、１５ａは、略正方形状に形成されている。取付部１４ａは、隔壁部１８よりも右側へ突出し、取付部１５ａは、隔壁部１８よりも左側へ突出している。
【００４７】
プリント基板１６は、フィルム状に形成されるフレキシブル基板（フレキシブルプリント基板）である。このプリント基板１６は、第２ケース体２２の後側面部の内側面に貼り付けられるプリント基板１６ａと、第２ケース体２２の左側面部に貼り付けられるプリント基板１６ｂと、第２ケース体２２の上側面部の内側面に貼り付けられるプリント基板１６ｃと、第２ケース体２２の下側面部の内側面に貼り付けられるプリント基板１６ｄとから構成されている。すなわち、プリント基板１６ａ〜１６ｄが一体で形成されることで、プリント基板１６が形成されている。プリント基板１６は、第２ケース体２２の内側面に沿って、かつ、第２ケース体２２の内側面の全体に貼り付けられている。また、プリント基板１６は、自身が断線したことや短絡したことを検知するための破壊検知パターンが形成される破壊検知パターン層を備えている。
【００４８】
プリント基板７、１４〜１６に形成される破壊検知パターンは、たとえば、線状に形成される２本の導体パターンが、プリント基板７、１４〜１６の外周側から内周側に向かって渦巻き状に巻回されることによって構成されている。また、破壊検知パターンは、プリント基板７、１４〜１６のほぼ全面に形成されている。この破壊検知パターンは、破壊検知パターンの断線や破壊検知パターンの短絡を検知するための検知回路に接続されている。また、破壊検知パターンは、検知回路を介してバックアップ用の電池に接続されており、カードリーダ１の電源がオフの状態になっているときには、バックアップ用の電池から破壊検知パターンに電力が供給される。
【００４９】
本形態では、プリント基板７、１４〜１６の破壊検知パターンの断線や短絡が検知されると、プリント基板７、８に記憶されているデータを消去したりプリント基板７、８を使用不可な状態にしたりする等の所定の処理が実行される。なお、本形態では、検知回路での検知結果に基づいて、破壊検知パターンの断線と破壊検知パターンの短絡とが検知されるが、検知回路での検知結果に基づいて、破壊検知パターンの断線または破壊検知パターンの短絡のいずれか一方のみが検知されても良い。
【００５０】
上述のように、プリント基板７は、カード収容部１７の右側面に固定され、プリント基板７のデータ信号パターン層は、プリント基板７の破壊検知パターン層よりも左側に配置されている。また、プリント基板７は、第２ケース体２２に後ろ側および上下の両側から覆われている。プリント基板８は、カード収容部１７の左側面に固定され、第２ケース体２２に左側、後ろ側および上下の両側から覆われている。また、第２ケース体２２の内側面には、破壊検知パターン層を有するプリント基板１６が貼り付けられている。さらに、破壊検知パターン層を有するプリント基板１４、１５は、プリント基板７、８よりも前側に配置されている。また、プリント基板１４の右端面は、プリント基板７よりも右側に配置され、プリント基板１４の左端面は、プリント基板７よりも左側に配置され、プリント基板１５の右端面は、プリント基板８よりも右側に配置され、プリント基板１５の左端面は、プリント基板８よりも左側に配置されている。
【００５１】
すなわち、本形態では、プリント基板７、８のデータ信号パターンは、全方向から破壊検知パターンによって囲まれた領域である保護領域Ｄの中に配置されている。具体的には、プリント基板７、８のデータ信号パターンは、プリント基板７に形成される破壊検知パターンと、プリント基板１６に形成される破壊検知パターンと、プリント基板１４、１５に形成される破壊検知パターンとによって全方向から囲まれた領域である保護領域Ｄの中に配置されている。保護領域Ｄは、セキュリティ性が確保された空間である。
【００５２】
本形態のプリント基板１４、１５は、破壊検知パターンが形成されるとともにカードリーダ１の前面側に配置される第１プリント基板であり、プリント基板１６ａは、破壊検知パターンが形成されるとともにカードリーダ１の後面側に配置される第２プリント基板であり、プリント基板７は、破壊検知パターンが形成されるとともにカード２の厚さ方向の一方側である右側に配置される第３プリント基板であり、プリント基板１６ｂは、破壊検知パターンが形成されるとともにカード２の厚さ方向の他方側である左側に配置される第４プリント基板であり、プリント基板１６ｃは、破壊検知パターンが形成されるとともにカード２の幅方向の一方側である上側に配置される第５プリント基板であり、プリント基板１６ｄは、破壊検知パターンが形成されるとともにカード２の幅方向の他方側である下側に配置される第６プリント基板である。
【００５３】
なお、本形態のカードリーダ１は、前面カバー１１が取り外されたこと、第１ケース体２１が取り外されたこと、および／または、第２ケース体２２が取り外されたことを検知するための検知機構を備えている。また、本形態では、前面カバー１１が取り外されたこと、第１ケース体２１が取り外されたこと、および／または、第２ケース体２２が取り外されたことが検知されると、プリント基板７、８に記憶されているデータを消去したりプリント基板７、８を使用不可な状態にしたりする等の所定の処理が実行される。
【００５４】
（取付検知機構の構成）
図５は、図４に示す取付検知機構５およびその周辺部分の構成を説明するための斜視図である。図６は、図４に示す取付検知機構５およびその周辺部分の構成を説明するための拡大断面図である。
【００５５】
取付検知機構５は、棒状に形成されるスイッチ部材２５と、スイッチ部材２５によって押圧される位置に配置される被押圧部材２６とを備えている。この取付検知機構５は、プリント基板１４、１５に取り付けられている。具体的には、プリント基板１４の取付部１４ａとプリント基板１５の取付部１５ａとに取付検知機構５が取り付けられている。すなわち、本形態では、２箇所に取付検知機構５が設置されている。また、プリント基板１４に取り付けられる取付検知機構５は、挿入口１０から挿入されるカード２が通過するカード通過路よりも右側に配置され、プリント基板１５に取り付けられる取付検知機構５は、カード通過路よりも左側に配置されている。すなわち、プリント基板１４に取り付けられるスイッチ部材２５および被押圧部材２６は、カード通過路よりも右側に配置され、プリント基板１５に取り付けられるスイッチ部材２５および被押圧部材２６は、カード通過路よりも左側に配置されている。また、取付検知機構５は（すなわち、スイッチ部材２５および被押圧部材２６は）、プリント基板１４、１５の前面に取り付けられている。
【００５６】
スイッチ部材２５は、たとえば、円柱状に形成されている。このスイッチ部材２５は、スイッチ部材２５の軸方向（長手方向）と前後方向とが一致するように配置されており、前後方向に移動可能となっている。また、図６に示すように、スイッチ部材２５の先端側部分は、前面カバー１１の鍔部１１ａに形成される挿通孔１１ｂに挿通されている。挿通孔１１ｂは、前後方向で鍔部１１ａを貫通するように形成されている。カードリーダ１が上位装置に取り付けられていないときには、図１等に示すように、スイッチ部材２５の先端側部分は、カードリーダ１の前面側へ突出している。具体的には、カードリーダ１が上位装置に取り付けられていないときに、スイッチ部材２５の先端側部分は、鍔部１１ａの前面１１ｃよりも前側に突出している。
【００５７】
被押圧部材２６は、プリント基板１４、１５に実装されている。また、被押圧部材２６は、スイッチ部材２５の基端（後端）が接触する位置に配置されている。すなわち、被押圧部材２６は、スイッチ部材２５の後ろ側に配置されている。この被押圧部材２６は、スイッチ部材２５に所定の力で押される押圧状態と、押圧状態が解除される非押圧状態とに切替可能になっている。被押圧部材２６は、たとえば、スイッチ部材２５に所定の力で押されると導通状態になるとともに、スイッチ部材２５による押圧力が弱まると非導通状態となるように構成されており、被押圧部材２６は、導通状態になると押圧状態になり、非導通状態になると非押圧状態になる。あるいは、被押圧部材２６は、圧力センサを備えており、この圧力センサの検出値が所定の閾値以下であると被押圧部材２６が非押圧状態になり、この圧力センサの検出値が閾値を超えると被押圧部材２６が押圧状態になる。
【００５８】
本形態では、上位装置にカードリーダ１が取り付けられると、図６（Ａ）に示すように、上位装置の前面を構成する前面パネル３０の後面３０ａに、前面カバー１１の鍔部１１ａの前面１１ｃが当接する。そのため、上位装置にカードリーダ１が取り付けられると、スイッチ部材２５の先端が前面パネル３０の後面３０ａに接触して、スイッチ部材２５が被押圧部材２６側（すなわち、後ろ側）に移動し、被押圧部材２６が非押圧状態から押圧状態に切り替わる。すなわち、上位装置にカードリーダ１が取り付けられた状態では、被押圧部材２６は押圧状態になっている。
【００５９】
一方、上位装置からカードリーダ１が取り外されると、図６（Ｂ）に示すように、スイッチ部材２５が被押圧部材２６から離れる方向（すなわち、前方向）へ移動して被押圧部材２６が押圧状態から非押圧状態に切り替わる。そのため、取付検知機構５での検知結果（具体的には、被押圧部材２６の状態）に基づいて、上位装置からカードリーダ１が取り外されたことを検知することができる。また、上位装置からカードリーダ１が取り外されたことが検知されると、プリント基板７、８に記憶されているデータを消去したりプリント基板７、８を使用不可な状態にしたりする等の所定の処理が実行される。本形態では、鍔部１１ａの前面１１ｃは、前面パネル３０の後面３０ａに当接する当接面であり、鍔部１１ａは当接面である前面１１ｃを有する当接部材である。
【００６０】
図５に示すように、スイッチ部材２５は、プリント基板３５に囲まれている。プリント基板３５は、フィルム状に形成されるフレキシブル基板である。また、プリント基板３５は、自身が断線したことや短絡したことを検知するための破壊検知パターンが形成される破壊検知パターン層を備えている。この破壊検知パターンは、たとえば、線状に形成される２本の導体パターンが、プリント基板３５の外周側から内周側に向かって渦巻き状に巻回されることによって構成されている。また、破壊検知パターンは、プリント基板３５のほぼ全面に形成されている。また、破壊検知パターンは、破壊検知パターンの断線や破壊検知パターンの短絡を検知するための検知回路に接続されるとともに、検知回路を介してバックアップ用の電池に接続されており、カードリーダ１の電源がオフの状態になっているときには、バックアップ用の電池から破壊検知パターンに電力が供給される。
【００６１】
本形態では、プリント基板３５の破壊検知パターンの断線や短絡が検知されると、プリント基板７、８に記憶されているデータを消去したりプリント基板７、８を使用不可な状態にしたりする等の所定の処理が実行される。なお、本形態では、検知回路での検知結果に基づいて、プリント基板３５の破壊検知パターンの断線と破壊検知パターンの短絡とが検知されるが、検知回路での検知結果に基づいて、プリント基板３５の破壊検知パターンの断線または破壊検知パターンの短絡のいずれか一方のみが検知されても良い。また、図３、図４では、プリント基板３５の図示が省略されている。
【００６２】
また、プリント基板３５は、鍔部１１ａよりも後ろ側に配置されており、スイッチ部材２５の、鍔部１１ａよりも後ろ側の部分がプリント基板３５に囲まれている。また、本形態では、被押圧部材２６もプリント基板３５に囲まれている。すなわち、取付検知機構５の全体がプリント基板３５に囲まれている。また、プリント基板１４に取り付けられる取付検知機構５のスイッチ部材２５および被押圧部材２６は、図５に示すように、上下の両側、右側および後ろ側の４方向からプリント基板３５に囲まれている。プリント基板１５に取り付けられる取付検知機構５のスイッチ部材２５および被押圧部材２６は、上下の両側、左側および後ろ側の４方向からプリント基板３５に囲まれている。
【００６３】
プリント基板３５の、後ろ側からスイッチ部材２５を囲む部分は、取付部１４ａ、１５ａの後面に貼り付けられており、取付部１４ａは、上下の両側、右側および後ろ側の４方向からプリント基板３５に囲まれ、取付部１５ａは、上下の両側、左側および後ろ側の４方向からプリント基板３５に囲まれている。また、プリント基板３５は、プリント基板１４、１５に電気的に接続されている。また、プリント基板３５は、鍔部１１ａの後面側の左右の両端側に形成される基板保護部１１ｄに覆われている。具体的には、プリント基板１４に取り付けられる取付検知機構５のスイッチ部材２５を囲むプリント基板３５は、上下の両側および右側から基板保護部１１ｄに覆われ、プリント基板１５に取り付けられる取付検知機構５のスイッチ部材２５を囲むプリント基板３５は、上下の両側および左側から基板保護部１１ｄに覆われている。
【００６４】
（本形態の主な効果）
以上説明したように、本形態では、プリント基板７、８のデータ信号パターンは、プリント基板７、１４〜１６の破壊検知パターンによって全方向から囲まれた保護領域Ｄの中に配置されている。そのため、本形態では、上位装置に取り付けられた状態のカードリーダ１からデータを不正に取得しようとして、犯罪者が何らかの細工をカードリーダ１に行うと、プリント基板７、１４〜１６の破壊検知パターンが断線したり短絡したりして、カードリーダ１に対して何らかの細工が行われていることが検知される。また、本形態では、プリント基板７、１４〜１６の破壊検知パターンの断線や短絡が検知されると、プリント基板７、８に記憶されているデータを消去したりプリント基板７、８を使用不可な状態にしたりする等の所定の処理が実行される。したがって、本形態では、犯罪者が上位装置からカードリーダ１を取り外さずにカードリーダ１からデータを不正取得しようとしても、カードリーダ１からデータが不正に取得されるのを防止することが可能になる。
【００６５】
本形態では、プリント基板１６ａ〜１６ｄが一体で形成されることで、プリント基板１６が形成されている。そのため、本形態では、プリント基板１６ａ〜１６ｄが別体になっている場合と比較して、カードリーダ１を組み立てる際のプリント基板１６ａ〜１６ｄの取扱いが容易になる。また、本形態では、プリント基板１６が第２ケース体２２の内側面に貼り付けられているため、プリント基板１６がフレキシブル基板であっても、後ろ側、左側および上下の両側から破壊検知パターンによってデータ信号パターンを確実に囲むことが可能になる。
【００６６】
本形態では、左右方向におけるプリント基板１４とプリント基板１５との間をカード２が通過する。そのため、本形態では、１枚のプリント基板にカード２が通過する通過孔が形成されている場合と比較して、プリント基板１４、１５のそれぞれの形状を簡素化することが可能になる。
【００６７】
本形態では、取付検知機構５は、棒状に形成されるスイッチ部材２５と、押圧状態と非押圧状態とに切替可能な被押圧部材２６とを備えている。そのため、本形態では、上位装置にカードリーダ１が取り付けられているときのスイッチ部材２５の位置と上位装置からカードリーダ１が取り外されているときのスイッチ部材２５の位置との間のスイッチ部材２５の移動量を大きくすることが可能になる。したがって、本形態では、上位装置にカードリーダ１が精度良く取り付けられていなくても、上位装置にカードリーダ１が取り付けられたときに被押圧部材２６を押圧状態にすることが可能になり、その結果、上位装置にカードリーダ１が取り付けられていることを精度良く検知することが可能になる。
【００６８】
本形態では、スイッチ部材２５は、破壊検知パターンが形成されるプリント基板３５に囲まれている。そのため、本形態では、上位装置からカードリーダ１が取り外されたときにスイッチ部材２５が移動しないように犯罪者がスイッチ部材２５に何らかの細工をしようとすると、プリント基板３５の破壊検知パターンが断線したり短絡したりして、スイッチ部材２５に対して何らかの細工が行われようとしていることが検知される。また、本形態では、プリント基板３５の破壊検知パターンの断線や短絡が検知されると、プリント基板７、８に記憶されているデータを消去したりプリント基板７、８を使用不可な状態にしたりする等の所定の処理が実行されるため、カードリーダ１からデータが不正に取得されるのを防止することが可能になる。特に本形態では、被押圧部材２６もプリント基板３５に囲まれているため、犯罪者が被押圧部材２６に何らかの細工をしようとする場合にも、プリント基板３５の破壊検知パターンが断線したり短絡したりする。したがって、カードリーダ１からデータが不正に取得されるのを効果的に防止することが可能になる。
【００６９】
本形態では、プリント基板１４に取り付けられるスイッチ部材２５および被押圧部材２６は、カード通過路よりも右側に配置され、プリント基板１５に取り付けられるスイッチ部材２５および被押圧部材２６は、カード通過路よりも左側に配置されている。また、本形態では、カード通過路よりも右側に配置されるスイッチ部材２５および被押圧部材２６は、上下の両側、右側および後ろ側の４方向からプリント基板３５に囲まれ、カード通過路よりも左側に配置されるスイッチ部材２５および被押圧部材２６は、上下の両側、左側および後ろ側の４方向からプリント基板３５に囲まれている。カード通過路よりも右側に配置されるスイッチ部材２５および被押圧部材２６に対して左側から何らかの細工を行うことは難しく、また、カード通過路よりも左側に配置されるスイッチ部材２５および被押圧部材２６に対して右側から何らかの細工を行うことは難しい。そのため、本形態では、スイッチ部材２５および被押圧部材２６に何らかの細工が行われるのを防止することを目的としてスイッチ部材２５および被押圧部材２６がプリント基板３５によって囲まれる範囲を必要最小限の範囲にすることが可能になる。したがって、本形態では、カードリーダ１を小型化することが可能になる。
【００７０】
本形態では、取付検知機構５は、保護領域Ｄを形成するためのプリント基板１４、１５に取り付けられている。そのため、本形態では、プリント基板１４、１５に加えて、取付検知機構５が取り付けられるプリント基板が別途設けられている場合と比較して、カードリーダ１の構成を簡素化することが可能になる。
【００７１】
本形態では、プリント基板３５は、フレキシブル基板である。そのため、本形態では、スイッチ部材２５および被押圧部材２６の周囲の状態に合わせてプリント基板３５を柔軟に配置することが可能になる。したがって、本形態では、スイッチ部材２５および被押圧部材２６を囲むプリント基板３５の配置が比較的容易になる。
【００７２】
（他の実施の形態）
上述した形態は、本発明の好適な形態の一例ではあるが、これに限定されるものではなく本発明の要旨を変更しない範囲において種々変形実施が可能である。
【００７３】
上述した形態では、プリント基板７に破壊検知パターンが形成されているが、プリント基板７に破壊検知パターンが形成されていなくても良い。この場合には、たとえば、第１ケース体２１の内側面に沿って、かつ、第１ケース体２１の内側面の全体に、破壊検知パターンが形成されたフィルム状のプリント基板（フレキシブル基板）が貼り付けられる。この場合であっても、プリント基板７、８のデータ信号パターンは、全方向から破壊検知パターンによって囲まれた領域である保護領域Ｄの中に配置される。また、この場合には、このプリント基板は、第３プリント基板である。
【００７４】
上述した形態では、プリント基板１４、１５は、リジッド基板であるが、プリント基板１４、１５は、フィルム状に形成されるフレキシブル基板であっても良い。この場合には、このフレキシブル基板は、第１プリント基板となる。また、上述した形態では、２枚のプリント基板１４、１５がカードリーダ１の前面側に配置されているが、２枚のプリント基板１４、１５に代えて、１枚のプリント基板がカードリーダ１の前面側に配置されても良い。また、上述した形態では、プリント基板３５は、フレキシブル基板であるが、プリント基板３５は、板状に形成されるリジッド基板であっても良い。
【００７５】
上述した形態では、プリント基板１６ａ〜１６ｄが一体で形成されることでプリント基板１６が形成されている。この他にもたとえば、プリント基板１６ａ〜１６ｄのうちの少なくとも１つが別体で形成されても良い。また、プリント基板１６ａ〜１６ｄのうちの少なくとも１つが別体で形成される場合には、プリント基板１６ａ〜１６ｄの中に板状に形成されるリジッド基板が含まれていても良い。また、プリント基板１６ａ〜１６ｄの全てが別体で形成される場合には、プリント基板１６ａ〜１６ｄの全てが板状に形成されるリジッド基板であっても良い。
【００７６】
上述した形態では、プリント基板８に破壊検知パターンが形成されていないが、プリント基板８に破壊検知パターンが形成されても良い。この場合には、プリント基板８のデータ信号パターン層は、プリント基板８の破壊検知パターン層よりも右側に配置されている。また、この場合には、プリント基板１６ｂは、設けられなくても良い。この場合であっても、プリント基板７、８のデータ信号パターンは、全方向から破壊検知パターンによって囲まれた領域である保護領域Ｄの中に配置される。また、この場合のプリント基板８は、第４プリント基板である。
【００７７】
上述した形態では、取付検知機構５は、プリント基板１４、１５に取り付けられている。この他にもたとえば、プリント基板１４、１５に加えて、取付検知機構５が取り付けられる基板が設けられても良い。また、上述した形態では、カード通過路の左右の両側に取付検知機構５が配置されているが、カード通過路の左右の一方側のみに取付検知機構５が配置されても良い。また、カード通過路の上下の両側、または、カード通過路の上下の一方側のみに取付検知機構５が配置されても良い。
【００７８】
上述した形態では、プリント基板１４に取り付けられる取付検知機構５のスイッチ部材２５および被押圧部材２６は、上下の両側、右側および後ろ側の４方向からプリント基板３５に囲まれている。この他にもたとえば、このスイッチ部材２５および被押圧部材２６は、上下の両側および右側の３方向からプリント基板３５に囲まれても良いし、上下の両側、左右の両側および後ろ側の５方向からプリント基板３５に囲まれても良いし、上下の両側および左右の両側の４方向からプリント基板３５に囲まれても良い。同様に、上述した形態では、プリント基板１５に取り付けられる取付検知機構５のスイッチ部材２５および被押圧部材２６は、上下の両側、左側および後ろ側の４方向からプリント基板３５に囲まれているが、このスイッチ部材２５および被押圧部材２６は、上下の両側および左側の３方向からプリント基板３５に囲まれても良いし、上下の両側、左右の両側および後ろ側の５方向からプリント基板３５に囲まれても良いし、上下の両側および左右の両側の４方向からプリント基板３５に囲まれても良い。
【００７９】
また、上述した形態では、スイッチ部材２５および被押圧部材２６がプリント基板３５に囲まれているが、スイッチ部材２５または被押圧部材２６のいずれか一方のみがプリント基板３５に囲まれても良い。また、スイッチ部材２５および被押圧部材２６は、プリント基板に囲まれていなくても良い。また、上述した形態では、取付検知機構５は、スイッチ部材２５と被押圧部材２６とを備えているが、取付検知機構５は、上述の特許文献１に記載されたシートスイッチであっても良い。また、カードリーダ１は、取付検知機構５を備えていなくても良い。
【００８０】
上述した形態では、前面カバー１１は、樹脂材料で形成されているが、前面カバー１１は、アルミニウム合金等の金属材料で形成されても良い。また、上述した形態では、カードリーダ１は、手動式のカードリーダであるが、カードリーダ１は、カード２を自動で搬送するカード搬送機構を有するカード搬送式のカードリーダであっても良い。
【符号の説明】
【００８１】
１  カードリーダ
２  カード
４  筺体
５  取付検知機構
７  プリント基板（第３プリント基板）
１１ａ  鍔部（当接部材）
１１ｂ  挿通孔
１１ｃ  前面（当接面）
１２  ケース体
１４、１５  プリント基板（第１プリント基板）
１６ａ  プリント基板（第２プリント基板）
１６ｂ  プリント基板（第４プリント基板）
１６ｃ  プリント基板（第５プリント基板）
１６ｄ  プリント基板（第６プリント基板）
２５  スイッチ部材
２６  被押圧部材
３０  前面パネル
３０ａ  前面パネルの後面
３５  プリント基板
Ｄ  保護領域
Ｘ  カードリーダの前後方向
Ｙ  カードの厚さ方向
Ｚ  カードの幅方向
【図１】
0006295190.tif 000002
【図２】
0006295190.tif 000003
【図３】
0006295190.tif 000004
【図４】
0006295190.tif 000005
【図５】
0006295190.tif 000006
【図６】
0006295190.tif 000007